(57)【要約】【目的】簡素な構造で組立作業性がよく，さらにそのままお供えできる鏡餅セットを提供する。【構成】鏡餅セット10は，鏡餅形パック50とその包装体20とを含む。包装体20の前面部22の窓31から鏡餅形パックの一部が外部に露出する。後面部23内に押さえ片41と係止孔42とが形成され，底面部21の後縁から突出して形成され，少なくともその先端部において係止孔42より大きな係止片45が係止孔42を通って内側に入り，係止孔42の縁部と押さえ片41との間に挟まれることにより，後面部23と底面部21が結合し，包装体20が組立てられる。【選択図】図１
2014227176.tif 000002
【特許請求の範囲】
【請求項１】
鏡餅形パックとその包装体とを含み，
上記鏡餅形パックは上記包装体の底面部上に載置され，
上記包装体において，上記底面部の前縁から連続し，鏡餅形パックに対応する形の窓が形成された前面部が上記鏡餅形パックの一部を外部に露出させるように斜めに形成され，
上記前面部から折曲されて上記底面部の後縁に向う後面部と，上記後面部から折曲されて上記底面部の内面に沿う折返し部とが設けられ，
上記後面部と上記折返し部との境界から，この境界部分を除いて，上記後面部の一部を切込むことにより，上記後面部内に押さえ片と係止孔とが形成され，
上記底面部の後縁から突出して形成され，少なくともその先端部において上記係止孔より大きな係止片が上記係止孔を通って内側に入り，上記係止孔の縁部と上記押さえ片との間に挟まれている，
鏡餅セット。
【請求項２】
上記鏡餅形パックの少なくとも前部の一部が上記包装体から露出し，
上記包装体の前面部の窓の内縁が少なくともその前部と後部で上記鏡餅形パック表面に当っている，
請求項１に記載の鏡餅セット。
【請求項３】
上記鏡餅形パックは上下２段の餅形部分を有し，下段餅形部分の少なくとも前部と上段餅形部分の全体とが露出し，
上記包装体の前面部の窓の内縁が，下段餅形部分の少なくとも前側表面と，上下の餅形部分間のくびれ部分の少なくとも後側表面とに当っている，
請求項１または２に記載の鏡餅セット。
【請求項４】
上記包装体の前面部は外方に向って凸に湾曲している，
請求項１から３のいずれか一項に記載の鏡餅セット。
【請求項５】
鏡餅形パックを載置する幅と長さを有する底面部と，
鏡餅形パックに対応する形の窓が形成され，上記底面部の前縁から連続する前面部と，
上記前面部から連続する後面部と，
上記後面部から連続する折返し部とを備え，
上記後面部と上記折返し部との境界から，この境界部分を除いて，上記後面部の一部を切込むことにより，上記後面部内に押さえ片と係止孔とが形成され，
少なくともその先端部において上記係止孔より大きな係止片が上記底面部の後縁から突出して形成されている，
厚紙から形成される包装体。
【発明の詳細な説明】
【技術分野】
【０００１】
この発明は，鏡餅形パックを包装した鏡餅セットおよびその包装体に関する。
【背景技術】
【０００２】
省資源，省力化の観点から簡素な包装が望まれているが，鏡餅はお供えするものであるから，最少限ではあっても飾りが必要である。
【０００３】
内容物が見える組立式の包装容器であって内容物がよく固定されている組立容器が特許文献１に記載されている。
【先行技術文献】
【特許文献】
【０００４】
【特許文献１】実用新案登録第３０２２０６０号公報
【０００５】
しかしながら，この組立容器は内部が側方からしか見えないので，鏡餅を包装した状態でそのままお供えすることには適していない。
【発明の開示】
【０００６】
この発明は，鏡餅形パックを簡易に包装してかつ飾りともなりうる鏡餅セットを提供するものである。
【０００７】
この発明はまた，包装のための作業が容易な鏡餅セット用包装体を提供するものである。
【０００８】
この発明による鏡餅セットは，鏡餅形パックとその包装体とを含む。鏡餅形パックは包装体の底面部上に載置される。包装体において，上記底面部の前縁から連続し，鏡餅形パックに対応する形の窓が形成された前面部が，後部が高くなり，かつ鏡餅形パックの一部を外部に露出させるように斜めに形成される。さらに，包装体において，前面部から折曲されて底面部の後縁に向う後面部と，後面部から折曲されて底面部の内面に沿う折返し部とが設けられる。後面部と折返し部との境界から，この境界部分を除いて，後面部の一部を切込むことにより，上記後面部内に押さえ片と係止孔とが形成されている。そして，底面部の後縁から突出して形成され，少なくともその先端部において上記係止孔より大きな係止片が係止孔を通って内側に入り，係止孔の縁部と押さえ片との間に挟まれているものである。これにより，後面部と底面部とが結合される。
【０００９】
包装体内に鏡餅形パックが収められ，その一部が傾斜した前面部にあけられた窓から外部に突出しているから，そのままの形で供えることが可能であり，前面部には模様や文字を描くことができるので，この発明による鏡餅セットは飾りを伴い，かつ包装が簡素である。要すれば，水引，敷紙などを鏡餅形パックに施してもよい。
【００１０】
前面部，後面部，折返し部を折曲し，さらに係止片を折り曲げて係止孔内に押し込めば良いから組立て作業が容易で迅速に組立てることができる。
【００１１】
一実施態様では，鏡餅形パックの少なくとも前部の一部が上記包装体から露出し，包装体の前面部の窓の内縁が少なくともその前部と後部で上記鏡餅形パック表面に当っている。これにより，鏡餅形パックは包装体内で固定される。
【００１２】
好ましい実施態様では，鏡餅形パックは上下２段の餅形部分を有し，下段餅形部分の少なくとも前部と上段餅形部分の全体とが露出し，包装体の前面部の窓の内縁が，下段餅形部分の少なくとも前側表面と，上下の餅形部分間のくびれ部分の少なくとも後側表面とに当っている。鏡餅パックは包装体内で一層強固に固定される。鏡餅形パックは三段の餅形部分を有するものでもよい。
【００１３】
包装体の傾斜した前面部は外方に向って凸に湾曲していることが好ましい。これにより鏡餅セットの意匠性が高まる。後面部も傾斜していてもよいし，底面部に対して垂直でもよい。後面部も湾曲していてもよい。
【００１４】
この発明による包装体は厚紙から構成されるものであり，鏡餅形パックを載置する幅と長さを有する底面部と，鏡餅形パックに対応する形の窓が形成され，底面部の前縁から連続する前面部と，前面部から連続する後面部と，後面部から連続する折返し部とを備え，後面部と折返し部との境界から，この境界部分を除いて，後面部の一部を切込むことにより，後面部内に押さえ片と係止孔とが形成され，少なくともその先端部において上記係止孔より大きな係止片が上記底面部の後縁から突出して形成されているものである。
【００１５】
底面部に対して前面部，後面部，折返し部を折曲し，折返し部を底面部に沿わせて，係止片を折って係止孔内に押し込めば包装体が完成するので，組立て作業が，手作業でもきわめて容易である。また，接着剤等は必ずしも必要ない。
【００１６】
厚紙とは，植物性繊維を素材とするもののみならず，合成繊維を材料の一部または全部とするもの，表面に合成樹脂膜をコーティング等したもの，合成樹脂による厚手のシート等を含む。
【図面の簡単な説明】
【００１７】
【図１】鏡餅セットの全体を斜め上からみた斜視図である。
【図２】ロック機構を包装体の内側から見た拡大正面図である。
【図３】包装体の展開図である。
【図４】鏡餅形パックおよび敷紙を示す斜視図である。
【図５】ロック機構の変形例を示すもので，包装体の内側からみた正面図である。
【図６】ロック機構の変形例を示すもので，包装体の内側からみた正面図である。
【図７】ロック機構の変形例を示すもので，包装体の内側からみた正面図である。
【図８】ロック機構の変形例を示すもので，包装体の内側からみた正面図である。
【図９】ロック機構の変形例を示すもので，包装体の内側からみた正面図である。
【図１０】ロック機構の変形例を示すもので，包装体の内側からみた正面図である。
【図１１】ロック機構の変形例を示すもので，包装体の内側からみた正面図である。
【実施例】
【００１８】
図１は一実施例の鏡餅セットを斜め上から見た様子を示している。この鏡餅セット10は，鏡餅形パック50を敷紙60とともに包装体20で包装し，一体化したものである。
【００１９】
包装体20の詳細については後述するが，包装体20は１枚の厚紙をやや扁平な断面略三角形状（前面部22は湾曲している）に折り曲げることにより形成され，前面に向って下方に傾斜しかつ上方（外方）に凸状に湾曲した前面部22を備えている。この後部が高くなるように傾斜した前面部22に窓31があけられている。窓31は鏡餅形パック50の外形に対応して，上下２つの半円状ないしは楕円形状の開口部分32，33（図３参照）を有している。
【００２０】
鏡餅形パック50は，特に図４に示されているように，白色，白濁色または乳白色の合成樹脂により一体的に形成され，鏡餅の形状をもつ中空の鏡餅形部50Ａと，この鏡餅形部50Ａの下縁から突出する下部突縁（下部フランジ）54とを有する。鏡餅形部50Ａは大きい径の下段餅形部51と小さい径の上段餅形部52が重ねられた形状を持つ。下部フランジ54は図示の例では円形の外縁をもつものであるが，正方形（角に丸味をつけてもよい），その他の形状の外縁をもつものでもよい。鏡餅形部50Ａ内にはその下面開口から軟化状態にある餅が充填され硬化されるとともに下面開口がシート状シール材によりシールされる。シール材は下部フランジ54の下面に溶着または接着される。鏡餅形部50Ａ内に，硬化した円盤状，さいころ状，方形板状，その他の形状の複数個の餅または菓子，その他の物を入れてもよい。
【００２１】
敷紙60は正方形状のもので角に小さな丸味がつけられ，かつ赤で縁取り（符号63で示す）されている。敷紙60には円形の穴61が形成され，この穴61に向ってその周縁から複数の係止突起62が中心に向って形成されている。敷紙60の穴61に下から鏡餅形パック50が挿入され，突起62が鏡餅形パック50の下段餅形部51の下部表面に当り，敷紙60と鏡餅形パック50とが互いに固定されている。敷紙60は包装体20の後述する底面部21とほぼ同じ大きさ（若干小さい程度）である。敷紙60は厚紙により形成することが好ましい。
【００２２】
このような鏡餅形パック50は敷紙60とともに包装体20に収容され，その一部が窓31から外方に露出している。鏡餅形部50Ａの下段餅形部51は下部開口部分32からその前部の上半部が露出し，上段餅形部52の全体が上部開口部分33および下部開口部分32（窓31全体）から露出している。
【００２３】
この実施例では正方形の敷紙60が，包装体20の正方形の底面部21上に丁度載置される大きさであり，その前後は前面部22および後面部23によって規制されるので鏡餅形パック50が包装体20内で動くことはない。
【００２４】
さらに，前面部22の上部開口部分33の後縁部分（当接部分）（内縁）33Ａ（図３参照）が鏡餅形パック50の上下段餅形部51と52との間のやや細くなっている部分（くびれ部分53）の表面に後および側方から当り，下部開口部分の前縁部分32Ａ（当接部分）（内縁）（図３参照）が下段餅形部51の前側表面に当るので，これによっても包装体20内の鏡餅形パック50の動きが規制され，鏡餅形パック50は包装体20で固定されている。
【００２５】
敷紙60は必ずしも必要ない。この場合に，鏡餅形パック50の下部フランジ54を正方形として包装体20の底面部21内に収まるようにするとよい。もっとも鏡餅形パック50は上述したように包装体20の前面部22の窓31の前縁32Ａ，後縁33Ａの当接によって固定されているから，敷紙60を用いずに，かつ鏡餅形パック50の下部フランジ54を底面部21よりも小さい円形等の形状としておいても，鏡餅形パックは包装体20内で動くことはない。包装体20の前面部22の窓31の後縁33Ａは鏡餅形パック50のくびれ部分53に当っているが，上段餅形部52に水平または斜めに当接するようにしてもよい。必要に応じて，鏡餅形パック50に水引等の飾りを取付けてもよい。
【００２６】
包装体20の一部または全部（少なくとも，たとえば前面部22）には模様，文字等が描かれ，このように装飾された鏡餅セット10は，鏡餅形パック50の多くの部分が包装体20から露出しているので，それ自体で，店頭等の陳列棚に置くこともできるし，家屋内の適所に供えることもできる。
【００２７】
図３は包装体20の展開図を示し，厚紙を打ち抜いて形成した１枚の型紙（ブランク材20Ａ）の内面（包装体に組立てたときに内側になる面）を表わしている。包装体20の内側からみて谷折りとなる線が破線で示されている。
【００２８】
ブランク材20Ａは正方形の底面部21，この底面部21の一側から，前面部22，後面部23および折返し部24が連続して設けられている。これらの間の折り線（境界線）を符号71，72，73で示す。
【００２９】
前面部22には上述のように，上部開口部分33，下部開口部分32からなる窓31があけられている。
【００３０】
後面部23の幅方向の中央において，折返し部24との境界（折り線73）から方形の切込みが形成され，押さえ片41と係止孔42とが形成されている。押さえ片41は後面部23から切り離され，破線で示す折り線73の部分で折返し部24とつながっている。
【００３１】
他方，底面部21の後縁の幅方向中央部から外方に延びる係止片45が形成されている。係止片45と底面部21との境界は折り線74である。
【００３２】
この実施例では係止片45の折り線74の部分の幅Ｌ２は，係止孔42の幅Ｌ１よりもわずかに小さい。係止片45の先端部の幅Ｌ３は係止孔42の幅Ｌ１よりも少し大きい。係止片45の長さ（高さ）Ｈ２は，係止孔42の長さ（高さ）Ｈ１より少し大きい。このように，係止片45は底面部21につながる部分が小さい略台形の形状であり，先端部の角が小さく丸められている（図２参照）。なお，係止片45と係止孔42および押さえ片41は複数対設けてもよい。
【００３３】
折り線（折り筋）71，72，73，74は，厚紙をその線に沿って容易に折ることができる構造または形状をいい（全く加工をしていなくてもよい），いわゆる折罫といわれるものを含む。折り線は，厚紙を線状に押圧したり，逆に膨出させたり，溝を形成したりすることにより形成することができ，単に折りぐせをつけただけのものでもよい。また，折り線に沿って破線状に切込み（いわゆるミシン目）を入れて折りやすくすることもできる。
【００３４】
図３に示すブランク材（型材，包装材，包装体）を用いて，以下に説明するように鏡餅形パック50を包装し，鏡餅セット10を製造する。
【００３５】
図３に示すブランク材20Ａの底面部21の上に図４に示す敷紙60と一体化した鏡餅形パック50を置く。折り線71を谷折りにし前面部22を鏡餅形パック50に被せるように折り曲げ，その窓31内に鏡餅形パック50の上半部を通す。折り線72を谷折りにし後面部33を底面部21の方に近づける。このとき，折り線73を事前に谷折りにしておくとよい。折返し部24を底面部21に沿わせ，底面部21と敷紙60（下部フランジ54）との間に入れる。前面部22は外方に向って凸に湾曲させ，後面部23は真直ぐ（直線状）にする。後面部23は底面部21から斜め前方に立上った姿勢となる（前面部22の長さを調整して後面部23を底面部21に対してほぼ垂直としてもよい）。
【００３６】
この後，係止片45を折り線74で谷折りにし，手の指で係止孔42の中に押し込む。係止片45の先端部は係止孔42よりも少し大きいが，厚紙の弾性により，係止片45を係止孔42内に押し込むことができる。係止片45を一旦係止孔42内に押し込むと，係止片45は弾性により元に戻ろうとするが，その先端部は係止孔42よりも大きいので外部に出ることはできず，係止孔42の縁部23Ａ（後面部23の一部）に当る。また係止片42内の押さえ片41も係止片45の押し込みとともに曲げられるが，その弾性により元に戻ろうとする力が作用し，結局，図２に示すように係止片45は押さえ片41と係止孔42の縁部23Ａとにより挟まれて固定される。このようにして，包装体20の後面部23と底面部21とが結合し，包装体20の製作が完了する。係止片45と係止孔42および押さえ片41とでロック機構を構成する。
【００３７】
包装体20の組立て，すなわち鏡餅セット10の製造は手作業で行なうことができる。上述のように，鏡餅形パックを底面部21上に置き，前面部22，後面部23，折返し部24を折り曲げ，係止片45を折り曲げて係止孔42内に押し込むだけでよいから，組立てが容易で作業が楽である。接着剤を用いる必要は必ずしもない。
【００３８】
係止片45と係止孔41の形状の組合せ，すなわちロック機構は種々のものを採用することができる。図５においては，係止孔42（押さえ片41）が台形状，係止片45が方形である。図６の例では係止孔42が方形で，係止片45はこれよりも少し大きくやや丸味がつけられた形である。図７では係止孔42，係止片45ともに角に丸味がつけられている，図８では係止孔42，係止片45とも円形に近い形状（円形の一部を切りとった形状），図９では図６と同じように係止片45はやや丸味がつけられ楕円に近い形，図10では係止片45がハート形，係止孔42が円形に近い形状，図11では係止片45，係止孔42ともにハート形に近い形状である。いずれにしても係止片45の少なくとも先端部は係止孔42よりも大きくつくられている。すなわち，係止片の幅および高さ（長さ）の少なくとも一方が係止孔の幅または高さよりも大きければよく，好ましくは係止片，係止孔はその中心線に関して左右対象である。
【符号の説明】
【００３９】
10  鏡餅セット
20  包装体
20Ａ  ブランク材
21  底面部
22  前面部
23  後面部
23Ａ  縁部
24  折返し部
31  窓
32  前部開口部
32Ａ  前部開口部の当接縁部（内縁）
33  後部開口部
33Ａ  後部開口部の当接縁部（内縁）
41  押さえ片
42  係止孔
45  係止片
50  鏡餅形パック
50Ａ  鏡餅形部
51  下段餅形部
52  上段餅形部
54  下部フランジ（下部突縁）
60  敷紙
【図１】
2014227176.tif 000003
【図２】
2014227176.tif 000004
【図３】
2014227176.tif 000005
【図４】
2014227176.tif 000006
【図５】
2014227176.tif 000007
【図６】
2014227176.tif 000008
【図７】
2014227176.tif 000009
【図８】
2014227176.tif 000010
【図９】
2014227176.tif 000011
【図１０】
2014227176.tif 000012
【図１１】
2014227176.tif 000013